(57)【要約】【課題】剪定作業を適切に行うことをサポートし、イメージした樹木の形状通りに樹木を剪定させることを容易にすることを課題とする。【解決手段】情報処理装置１０は、樹木の画像を取得し、取得された樹木の画像上で、樹木を剪定する箇所の指定を受け付け、剪定者が保持する剪定器具であって、かつ、情報処理装置１０と通信可能な剪定器具の樹木上の位置を特定する。そして、情報処理装置１０は、受け付けた樹木を剪定する箇所と、特定された剪定器具の位置とを比較し、樹木を剪定する箇所と剪定器具の位置とが比較され、剪定器具の位置が樹木を剪定する箇所にあるか否かに応じて、剪定の可否を剪定器具に対して送信する。【選択図】        図１
2014135944.tif 000002
【特許請求の範囲】
【請求項１】
情報処理装置で実行される剪定サポート方法であって、
樹木の画像を取得する取得ステップと、
前記取得ステップによって取得された樹木の画像上で、樹木を剪定する箇所の指定を受け付ける受付ステップと、
剪定者が保持し、かつ、前記情報処理装置と通信可能な器具の樹木上の位置を特定する特定ステップと、
前記受付ステップによって受け付けた前記剪定する箇所と、前記特定ステップによって特定された器具の位置とを比較して、前記器具の位置と前記剪定する箇所との位置関係に基づいて剪定の可否を判断する比較ステップと、
前記剪定の可否を前記器具に対して送信する送信ステップと、
を含んだことを特徴とする剪定サポート方法。
【請求項２】
前記樹木と前記器具とを含む画像を撮像する撮像ステップとをさらに含み、
前記特定ステップは、前記撮像ステップによって撮像された画像上の器具の位置を特定することを特徴とする請求項１に記載の剪定サポート方法。
【請求項３】
前記取得ステップによって取得された樹木の画像に対して、前記受付ステップによって受け付けた樹木を剪定する箇所を重畳した画像を作成する作成ステップをさらに含んだことを特徴とする請求項１または２に記載の剪定サポート方法。
【請求項４】
前記受付ステップは、前記樹木を剪定する箇所の指定として、前記樹木の画像に対して樹木の形状を示す曲線を受け付けることを特徴とする請求項１〜３のいずれか一つに記載の剪定サポート方法。
【請求項５】
前記受付ステップは、前記樹木を剪定する箇所の指定として、前記樹木の画像に対して剪定する枝を特定する円環を受け付けることを特徴とする請求項１〜４のいずれか一つに記載の剪定サポート方法。
【請求項６】
前記送信ステップは、剪定の可否に関する情報として、前記器具に対して発光情報、音声情報、振動情報のいずれか一つまたは複数を送信することを特徴とする請求項１〜５のいずれか一つに記載の剪定サポート方法。
【請求項７】
樹木の画像を取得する取得部と、
前記取得部によって取得された樹木の画像上で、樹木を剪定する箇所の指定を受け付ける受付部と、
剪定者が保持し、かつ、前記情報処理装置と通信可能な器具の樹木上の位置を特定する特定部と、
前記受付部によって受け付けた前記剪定する箇所と、前記特定部によって特定された器具の位置とを比較して、前記器具の位置と前記剪定する箇所との位置関係に基づいて剪定の可否を判断する比較部と、
前記剪定の可否を前記器具に対して送信する送信部と、
を備えたことを特徴とする情報処理装置。
【発明の詳細な説明】
【技術分野】
【０００１】
本発明は、剪定サポート方法および情報処理装置に関する。
【背景技術】
【０００２】
従来、樹木を剪定する際には、剪定者が、剪定した後の樹木の形状をイメージしながら、剪定作業を行っていた。例えば、剪定者は、どの枝を剪定するか、どのように剪定するか等を考えながら、剪定器具（例えば、鋏など）で剪定作業を行っていた。
【先行技術文献】
【特許文献】
【０００３】
【特許文献１】特開２０００−３２２４３６号公報
【特許文献２】特開２０００−３２２４３５号公報
【発明の概要】
【発明が解決しようとする課題】
【０００４】
しかしながら、剪定した後の樹木の形状をイメージしながら、剪定作業を行うことは難しいため、剪定作業を適切に行えず、イメージ通りに樹木を剪定することが困難であるという課題があった。例えば、樹木の真横で作業を行うことが多く、全体の形状をイメージしながら剪定することは、経験を積まないと難しいため、剪定作業を適切に行えず、イメージ通りに樹木を剪定することが困難である。
【０００５】
なお、サイバー図鑑データベースを有する情報センタが設けられ、観察者があいまいなヒントから所望のデータを容易に検索する技術や、観察者が観察したものに関する情報を容易に図鑑情報センタに入力する技術も知られているが（例えば、特許文献１、２参照）、これらの技術には、剪定をサポートする仕組みが設けられていない。このため、サイバー図鑑データベースを利用した場合であっても、剪定作業を適切に行うことができなかった。
【０００６】
そこで、この発明は、上述した従来技術の課題を解決するためになされたものであり、イメージした樹木の形状通りに樹木を剪定させることを容易にすることを目的とする。
【課題を解決するための手段】
【０００７】
上述した課題を解決し、目的を達成するため、剪定サポート方法は、樹木の画像を取得する取得ステップと、前記取得ステップによって取得された樹木の画像上で、樹木を剪定する箇所の指定を受け付ける受付ステップと、剪定者が保持し、かつ、前記情報処理装置と通信可能な器具の樹木上の位置を特定する特定ステップと、前記受付ステップによって受け付けた前記剪定する箇所と、前記特定ステップによって特定された器具の位置とを比較して、前記器具の位置と前記剪定する箇所との位置関係に基づいて剪定の可否を判断する比較ステップと、前記剪定の可否を前記器具に対して送信する送信ステップと、を含んだことを特徴とする。
【０００８】
また、情報処理装置は、樹木の画像を取得する取得部と、前記取得部によって取得された樹木の画像上で、樹木を剪定する箇所の指定を受け付ける受付部と、剪定者が保持する器具であって、かつ、前記情報処理装置と通信可能な器具の樹木上の位置を特定する特定部と、前記受付部によって受け付けた樹木を剪定する箇所と、前記特定部によって特定された器具の位置とを比較する比較部と、前記比較部によって樹木を剪定する箇所と器具の位置とが比較され、前記器具の位置が前記樹木を剪定する箇所にあるか否かに応じて、剪定の可否を前記器具に対して送信する送信部と、を備えたことを特徴とする。
【発明の効果】
【０００９】
本願に開示する剪定サポート方法および情報処理装置は、剪定作業を適切に行うことをサポートし、イメージした樹木の形状通りに樹木を剪定させることを容易にすることが可能である。
【図面の簡単な説明】
【００１０】
【図１】図１は、第一の実施の形態に係る情報処理装置の構成を示すブロック図である。
【図２】図２は、樹木の画像の一例を示す図である。
【図３】図３は、樹木の画像にデザインを重畳した剪定デザイン画像の一例を示す図である。
【図４】図４は、樹木の静止画像上で剪定後の樹木のデザインを指定した場合の画面例を示す図である。
【図５】図５は、剪定時に剪定の可否を剪定器具に送信する処理を説明する図である。
【図６】図６は、第一の実施の形態に係る情報処理装置の処理手順を説明するためのフローチャートである。
【図７】図７は、第一の実施の形態に係る情報処理装置の処理手順を説明するためのフローチャートである。
【図８】図８は、剪定サポートプログラムを実行するコンピュータを示す図である。
【発明を実施するための形態】
【００１１】
以下に添付図面を参照して、この発明に係る剪定サポート方法および情報処理装置の好適な実施形態を詳細に説明する。なお、この実施形態によりこの発明が限定されるものではない。
【００１２】
［第一の実施の形態］
まず、図１を用いて、第一の実施の形態に係る情報処理装置１０の概要について説明する。図１は、第一の実施の形態に係る情報処理装置１０の構成を示すブロック図である。図１に示すように、第一の実施の形態に係る情報処理装置１０は、入力部１１、出力部１２、通信制御部１３、撮像部１４、制御部１５および記憶部１６を有する。なお、ここで説明する構成はあくまで一例であり、他のさまざまな形態でも実施が可能である。
【００１３】
入力部１１は、剪定対象の樹木の静止画に対する剪定デザインなどを入力するものであり、マウスやキーボードなどを備えて構成される。また、出力部１２は、樹木の静止画像や樹木の画像に対して剪定デザインを重畳した剪定デザイン画像を表示するものであり、モニタ（若しくはディスプレイ、タッチパネル）やスピーカを備えて構成される。例えば、出力部１２は、図４に例示するように、剪定デザイン画像を表示する。
【００１４】
通信制御部１３は、樹木を剪定する剪定器具との間でやり取りする各種情報に関する通信を制御する。具体的には、通信制御部１３は、剪定器具に対して剪定の可否を示す発光情報を送信する。例えば、通信制御部１３は、剪定しても良い箇所に剪定器具が位置している場合には、緑色を発光する旨を指示する発光情報を送信し、剪定してはいけない箇所に剪定器具が位置している場合には、赤色を発光する旨を指示する発光情報を送信する。
【００１５】
撮像部１４は、樹木の静止画や動画を撮影するものであり、カメラやビデオなどを備えて構成される。例えば、撮像部１４は、剪定を行う際において、樹木と剪定器具とを含む動画を撮影する。なお、カメラやビデオが情報処理装置１０に内蔵されている場合に限定されるものではなく、カメラやビデオと情報処理装置１０とがケーブル等で接続されていてもよい。
【００１６】
記憶部１６は、制御部１５による各種処理に必要なデータおよびプログラムを格納するが、特に本発明に密接に関連するものとしては、画像記憶部１６ａおよび剪定デザイン画像記憶部１６ｂを有する。なお、記憶部１６とは、ＲＡＭ（Random  Access  Memory）、ＲＯＭ（Read  Only  Memory）、フラッシュメモリ（flash  memory）などの半導体メモリ素子、または、ハードディスク、光ディスクなどの記憶装置である。
【００１７】
画像記憶部１６ａは、樹木の静止画像を記憶する。具体的には、画像記憶部１６ａは、後述する取得部１５ａによって取得された剪定対象の樹木の静止画像を記憶する。また、例えば、図２に例示するように、静止画像内に樹木以外の人物や物体などが含まれる場合には、人物や物体が消去された静止画像を記憶する。図２は、樹木の画像の一例を示す図である。
【００１８】
剪定デザイン画像記憶部１６ｂは、樹木の画像に対して剪定デザインを重畳した剪定デザイン画像を記憶する。具体的には、剪定デザイン画像記憶部１６ｂは、後述する作成部１５ｃによって作成された剪定デザイン画像を記憶する。例えば、図３に例示するように、剪定デザイン画像には、剪定対象の樹木とともに、剪定のデザインとして、樹木の形状を示す曲線αと剪定する枝を特定する円環βとが含まれる。図３は、樹木の画像にデザインを重畳した剪定デザイン画像の一例を示す図である。
【００１９】
制御部１５は、各種の処理手順などを規定したプログラムおよび所要データを格納するための内部メモリを有し、これらによって種々の処理を実行するが、特に本発明に密接に関連するものとしては、取得部１５ａ、受付部１５ｂ、作成部１５ｃ、特定部１５ｄ、比較部１５ｅおよび送信部１５ｆを有する。
【００２０】
取得部１５ａは、樹木の画像を取得する。例えば、取得部１５ａは、樹木の剪定デザインを行う者によって撮影された剪定予定の樹木の静止画像を取得し、静止画像内に樹木以外の人物や物体などが含まれる場合には、人物や物体を消去した後、画像記憶部１６ａに格納する。
【００２１】
受付部１５ｂは、取得部１５ａによって取得された樹木の画像上で、樹木を剪定する箇所の指定を受け付ける。具体的には、受付部１５ｂは、樹木を剪定する箇所の指定として、樹木の画像に対して樹木の形状を示す曲線、および、樹木の画像に対して剪定する枝を特定する円環を受け付ける。
【００２２】
例えば、受付部１５ｂは、静止画像一覧を表示する旨の指示である静止画像一覧表示指示を受け付けると、画像記憶部１６ａに記憶された樹木の静止画像を読み出して静止画像一覧を表示する。そして、受付部１５ｂは、表示した静止画像一覧のうち一の静止画像を指示する静止画像選択指示をユーザから受け付けると、選択された樹木の静止画像を表示する。その後、受付部１５ｂは、樹木を剪定する箇所の指定として、樹木の画像に対して樹木の形状を示す曲線、および、樹木の画像に対して剪定する枝を特定する円環を受け付ける。
【００２３】
ここで、図４の例を用いて、樹木の静止画像上で樹木の剪定デザインを指定する例を説明する。図４は、樹木の静止画像上で剪定後の樹木のデザインを指定した場合の画面例を示す図である。図４に例示するように、情報処理装置１０により剪定対象の樹木の静止画像が表示され、剪定デザインを行う者が静止画像を見ながらマウスやキーボード等を操作することで、静止画像上に剪定後の樹木の形状を曲線αで描いたり、剪定する枝を指定する円環βを描いたりして、樹木の静止画像上で樹木の剪定デザインを指定する。この場合、曲線αを境として樹木側よりも曲線αの外側であって、かつ、円環βの内側の箇所（図４における斜線の箇所）が、樹木を剪定する箇所となる。
【００２４】
つまり、情報処理装置１０は、剪定対象の樹木の静止画像を表示しつつ、剪定デザインを行う者によるマウスやキーボード等の操作を受け付け、静止画像上に剪定後の樹木の形状を曲線αで描いたり、剪定する枝を指定する円環βを描いたりすることができるようにすることで、ユーザによる静止画像上での樹木を剪定する箇所の指定を受け付けることを可能としている。
【００２５】
作成部１５ｃは、取得部１５ａによって取得された樹木の画像に対して、受付部１５ｂによって受け付けた樹木を剪定する箇所を重畳した画像を作成する。例えば、作成部１５ｃは、図３に例示するように、剪定デザイン画像として、剪定対象の樹木とともに、剪定のデザインとして、樹木の形状を示す曲線αと剪定する枝を特定する円環βとが含まれる画像を作成し、剪定デザイン画像記憶部１６ｂに格納する。
【００２６】
特定部１５ｄは、剪定者が保持し、かつ、情報処理装置１０と通信可能な剪定器具の樹木上の位置を特定する。具体的には、特定部１５ｄは、撮像部１４によって撮像された動画上の剪定器具の位置を特定する。例えば、特定部１５ｄは、撮像部１４によって撮像された動画上から剪定器具の形状または色を識別して、剪定器具の樹木上の位置を特定する。
【００２７】
比較部１５ｅは、受付部１５ｂによって受け付けた剪定する箇所と、特定部１５ｄによって特定された剪定器具の位置とを比較して、剪定器具の位置と前記剪定する箇所との位置関係に基づいて剪定の可否を判断する。例えば、比較部１５ｅは、曲線αを境として樹木側よりも曲線αの外側であって、かつ、円環βの内側である樹木を剪定する箇所（図４の例における斜線の箇所）と、剪定器具の位置とを比較し、剪定器具の位置が樹木を剪定する箇所にあるか否かを判定する。
【００２８】
送信部１５ｆは、剪定の可否を剪定器具に対して送信する。例えば、送信部１５ｆは、比較部１５ｅによって剪定器具の位置が樹木を剪定する箇所にあると判定された場合には、緑色を発光する旨を指示する発光情報を送信し、比較部１５ｅによって剪定器具の位置が樹木を剪定する箇所にないと判定された場合には、赤色を発光する旨を指示する発光情報を送信する。
【００２９】
ここで、図５を用いて、剪定時に剪定の可否を剪定器具に送信する処理を説明する。図５は、剪定時に剪定の可否を剪定器具に送信する処理例を説明する図である。図５に例示するように、情報処理装置１０は、剪定者が剪定を行っている際の樹木を撮像部１４で撮影する。ここで、剪定者は、発光機能付きの剪定器具を保持して剪定を行っているものとする。そして、情報処理装置１０は、撮像部１４によって撮影された樹木の動画に剪定デザインを重ね合わせた画像を作成してディスプレイに表示する。そして、情報処理装置１０は、剪定器具の位置を特定し、剪定器具の位置が樹木を剪定する箇所にあると判定し場合には、緑色を発光する旨を指示する発光情報を送信し、また、剪定器具の位置が樹木を剪定する箇所にないと判定した場合には、赤色を発光する旨を指示する発光情報を送信する。
【００３０】
これにより、剪定者は、発光が緑になった場合にのみ枝を剪定し、発光が赤色になった場合には、枝の剪定を行わないようにすることで、事前にデザインした通りに樹木の剪定を行うことができる。つまり、樹木の静止画像から剪定後の形状を事前にデザインすることができ、さらに、事前に行ったデザインを基に、剪定者に剪定する枝葉の指定を適切に行うことが可能となる。
【００３１】
また、樹木の剪定者は、剪定のデザインを樹木の静止画像上に直接描くことができるため、剪定のデザインを容易にし、デザインにかかる労力を軽減することができる。また、剪定のデザイナを行うデザイナと剪定実施者とで役割分担を行うこともでき、より最適な剪定を行うことが可能である。つまり、例えば、剪定が苦手であるがデザインが得意である者が剪定のデザインを情報処理装置１０で行い、デザインが苦手であるが剪定が得意である者が剪定を実施することで、それぞれの得意分野を活かした最適な剪定を行うことが可能である。なお、剪定デザイン画像を保存しているため、剪定デザインは何度でも使用することができ、複数の樹木を同じデザインで剪定することが可能である。
【００３２】
また、剪定器具を発光させることにより、剪定者がモニタ等を見ることなく手元で剪定する適切な枝葉を確認することができるため、剪定作業の安全を確保することが可能である。
【００３３】
［情報処理装置による処理］
次に、図６および図７を用いて、第一の実施の形態に係る情報処理装置１０による処理を説明する。図６および図７は、第一の実施の形態に係る情報処理装置の処理手順を説明するためのフローチャートである。
【００３４】
まず、図６を参照して、剪定を実施する前の剪定のデザインの指定を受け付ける処理について主に説明する。なお、図６では、情報処理装置１０の取得部１５ａによって剪定対象の樹木の静止画像が既に取得され、画像記憶部１６ａに事前に記憶されているものとして処理を説明する。
【００３５】
図５に示すように、情報処理装置１０の受付部１５ｂは、静止画像一覧を表示する旨の指示である静止画像一覧表示指示を受け付けると（ステップＳ１０１肯定）、画像記憶部１６ａに記憶された樹木の静止画像を読み出して静止画像一覧を表示する（ステップＳ１０２）。
【００３６】
そして、受付部１５ｂは、表示した静止画像一覧のうち一の静止画像を指示する静止画像選択指示をユーザから受け付けると（ステップＳ１０３）、選択された樹木の静止画像を表示する（ステップＳ１０４）。
【００３７】
続いて、受付部１５ｂは、表示した静止画像上で、樹木の剪定デザインの指定を受け付ける（ステップＳ１０５）。例えば、受付部１５ｂは、樹木を剪定する箇所の指定として、樹木の画像に対して樹木の形状を示す曲線、および、樹木の画像に対して剪定する枝を特定する円環を受け付ける。
【００３８】
その後、作成部１５ｃは、静止画像とデザイン画を重畳した剪定デザイン画像を作成する（ステップＳ１０６）。例えば、作成部１５ｃは、図３に例示するように、剪定デザイン画像として、剪定対象の樹木とともに、剪定のデザインとして、樹木の形状を示す曲線αと剪定する枝を特定する円環βとが含まれる画像を作成する。
【００３９】
その後、作成部１５ｃは、剪定デザイン画像を剪定デザイン画像記憶部１６ｂに保存し（ステップＳ１０７）、処理を終了する。このように、情報処理装置１０は、剪定対象の樹木の静止画像を表示しつつ、剪定デザインを行う者によるマウスやキーボード等の操作を受け付け、静止画像上に剪定後の樹木の形状を曲線αで描いたり、剪定する枝を指定する円環βを描いたりすることができるようにすることで、静止画像上で樹木を剪定する箇所の指定を受け付けることを可能とし、剪定のデザインを容易に行うことを可能としている。
【００４０】
次に、図７を参照して、上記した図６の剪定のデザインの指定を受け付ける処理を行った後において、剪定者が剪定する際に、剪定する枝葉を指定する処理を主に説明する。なお、図７では、剪定デザイン画像記憶部１６ａに事前に剪定デザインが記憶されているものとして処理を説明する。
【００４１】
図７に示すように、情報処理装置１０の特定部１５ｄは、剪定を行う樹木のビデオ撮影を開始しているか判定し（ステップＳ２０１）、ビデオ撮影を開始していると判定した場合には（ステップＳ２０１肯定）、剪定デザイン画像記憶部１６ｂに記憶された剪定デザイン画像のなかから剪定デザインの選択を指示する剪定デザイン選択指示を受け付ける（ステップＳ２０２）。
【００４２】
そして、情報処理装置１０の特定部１５ｄは、ビデオ画像に剪定デザインを重畳した画像を作成して表示し（ステップＳ２０３）、剪定器具の樹木上の位置を特定する（ステップＳ２０４）。
【００４３】
続いて、比較部１５ｅは、樹木を剪定する箇所と剪定器具の位置とを比較し、剪定器具の位置が樹木を剪定する箇所にあるか否かを判定する（ステップＳ２０５）。この結果、比較部１５ｅが器具の位置が樹木を剪定する箇所にあると判定した場合には（ステップＳ２０５肯定）、送信部１５ｆは、緑色を発光する旨を指示する発光情報を剪定器具に送信する（ステップＳ２０６）。また、比較部１５ｅが器具の位置が樹木を剪定する箇所にないと判定した場合には（ステップＳ２０５否定）、送信部１５ｆは、赤色を発光する旨を指示する発光情報を剪定器具に送信する（ステップＳ２０７）。
【００４４】
[第一の実施の形態の効果]
上述してきたように、第一の実施の形態に係る情報処理装置１０は、樹木の画像を取得し、取得された樹木の画像上で、樹木を剪定する箇所の指定を受け付け、剪定者が保持する剪定器具であって、かつ、情報処理装置１０と通信可能な剪定器具の樹木上の位置を特定する。そして、情報処理装置１０は、受け付けた樹木を剪定する箇所と、特定された剪定器具の位置とを比較し、樹木を剪定する箇所と剪定器具の位置とが比較され、剪定器具の位置が樹木を剪定する箇所にあるか否かに応じて、剪定の可否を剪定器具に対して送信する。このため、剪定作業を適切に行うことをサポートし、イメージした樹木の形状通りに樹木を剪定することを容易にすることが可能である。
【００４５】
また、第一の実施の形態に係る情報処理装置１０によれば、樹木と剪定器具とを含む画像を撮像し、撮像された画像上の剪定器具の位置を特定する。このため、情報処理装置１０では、剪定器具の位置を画像から容易に特定することが可能である。
【００４６】
また、第一の実施の形態に係る情報処理装置１０によれば、剪定前の樹木の画像に対して、受け付けた樹木を剪定する箇所を重畳した画像を作成する。このため、情報処理装置１０では、剪定前の樹木の画像と剪定のデザインとを一緒に見ることができるため、剪定デザインを容易に行うことが可能である。
【００４７】
また、第一の実施の形態に係る情報処理装置１０によれば、樹木を剪定する箇所の指定として、樹木の画像に対して樹木の形状を示す曲線を受け付ける。このため、情報処理装置１０では、剪定後の樹木の形状のデザインをデザインする者が直感的に指定することが可能である。
【００４８】
また、第一の実施の形態に係る情報処理装置１０によれば、樹木を剪定する箇所の指定として、樹木の画像に対して剪定する枝を特定する円環を受け付ける。このため、情報処理装置１０では、剪定のデザインを行う者が剪定する枝を容易に指定することが可能である。
【００４９】
また、第一の実施の形態に係る情報処理装置１０によれば、剪定の可否に関する情報として、剪定器具に対して発光情報を送信する。このため、情報処理装置１０では、剪定者に対して剪定する枝を適切に指示することが可能である。
【００５０】
また、上述したように、剪定者は、発光が緑になった場合にのみ枝を剪定し、発光が赤色になった場合には、枝の剪定を行わないようにすることで、事前にデザインした通りに樹木の剪定を行うことができる。つまり、樹木の静止画像から剪定後の形状を事前にデザインすることができ、さらに、事前に行ったデザインを基に、剪定者に剪定する枝葉の指定を適切に行うことが可能となる。
【００５１】
また、樹木の剪定者は、剪定のデザインを樹木の静止画像上に直接描くことができるため、剪定のデザインを容易にし、デザインにかかる労力を軽減することができる。また、剪定のデザインを行うデザイナと剪定実施者とで役割分担を行うこともでき、より最適な剪定を行うことが可能である。つまり、例えば、剪定が苦手であるがデザインが得意である者が剪定のデザインを情報処理装置１０で行い、デザインが苦手であるが剪定が得意である者が剪定を実施することで、それぞれの得意分野を活かした最適な剪定を行うことが可能である。なお、剪定デザイン画像を保存しているため、剪定デザインは何度でも使用することができ、複数の樹木を同じデザインで剪定することが可能である。
【００５２】
また、剪定器具を発光させることにより、剪定者がモニタ等を見ることなく手元で剪定する適切な枝葉を確認することができるため、剪定作業の安全を確保することが可能である。
【００５３】
［第二の実施の形態］
さて、これまで本発明の実施の形態について説明したが、本発明は上述した第一の実施の形態以外にも、種々の異なる形態にて実施されてよいものである。そこで、以下では第二の実施の形態として本発明に含まれる他の実施の形態を説明する。
【００５４】
（１）器具
上記の第一の実施の形態では、発光部を有する剪定器具に対して発光情報を送信する場合を説明したが、本発明はこれに限定されるものではなく、剪定者が保持する器具であって、通信可能な器具であればよい。例えば、腕装着型の発光装置に対して発光情報を送信してもよい。
【００５５】
（２）送信情報
また、上記の第一の実施の形態では、赤または緑を発光する旨を指示する発光情報を送信する場合を説明したが、本発明はこれに限定されるものではなく、発光色として、３色以上を利用してもよい。
【００５６】
例えば、発光色として、赤、黄、緑のいずれかの色を発光する旨を指示する発光情報を送信するようにしてもよい。具体的な例を挙げて、剪定して良い箇所では「緑」色を剪定器具に発光させ、剪定してはいけない箇所では「赤」色を剪定器具に発光させ、剪定してはいけない箇所に近づいたら「黄」色を剪定器具に発光させるようにしてもよい。
【００５７】
また、光に色がなくともよく、例えば、点灯、点滅、消灯する旨を指示する発光情報を送信するようにしてもよい。具体的な例を挙げて、剪定して良い箇所では点灯を剪定器具に指示し、剪定してはいけない箇所では消灯を剪定器具に指示し、剪定してはいけない箇所に近づいたら消灯を剪定器具に指示してもよい。
【００５８】
また、剪定器具に対して送信する情報は、発光情報に限定されるものではなく、音声情報または振動情報であってもよい。例えば、音のＯＮ／ＯＦＦ、音の大小、音の種類などを指示する音声情報を剪定者が保持する器具に送信することで、剪定して良い箇所と剪定してはいけない箇所とを報知してもよい。また、振動のＯＮ／ＯＦＦ、振動の大小などを指示する振動情報を剪定者が保持する器具に送信することで、剪定して良い箇所と剪定してはいけない箇所とを報知してもよい。
【００５９】
このように、剪定の可否に関する情報として、器具に対して音声情報または振動情報をするので、様々な方法を用いて剪定者に対して剪定する枝を指示することが可能である。
【００６０】
（３）位置の特定
上記の第一の実施の形態では、撮影された動画上から剪定器具の位置を特定する場合を説明したが、本発明はこれに限定されるものではなく、例えば、動画を撮影することなく、情報処理装置が剪定器具と通信を行うことにより位置に関する情報を取得して位置を特定するようにしてもよい。
【００６１】
（４）システム構成
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【００６２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００６３】
（５）プログラム
また、上記実施形態において説明した情報処理装置１０が実行する処理をコンピュータが実行可能な言語で記述したプログラムを作成することもできる。例えば、実施形態１に係る情報処理装置１０が実行する処理をコンピュータが実行可能な言語で記述した剪定サポートプログラムを作成することもできる。この場合、コンピュータが剪定サポートプログラムを実行することにより、上記実施形態と同様の効果を得ることができる。さらに、かかる剪定サポートプログラムをコンピュータ読み取り可能な記録媒体に記録して、この記録媒体に記録された剪定サポートプログラムをコンピュータに読み込ませて実行することにより上記実施形態１と同様の処理を実現してもよい。以下に、図１に示した情報処理装置１０と同様の機能を実現する剪定サポートプログラムを実行するコンピュータの一例を説明する。
【００６４】
図８は、剪定サポートプログラムを実行するコンピュータ１０００を示す図である。図８に例示するように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有し、これらの各部はバス１０８０によって接続される。
【００６５】
メモリ１０１０は、図８に例示するように、ＲＯＭ（Read  Only  Memory）１０１１及びＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、図８に例示するように、ハードディスクドライブ１０３１に接続される。ディスクドライブインタフェース１０４０は、図８に例示するように、ディスクドライブ１０４１に接続される。例えば磁気ディスクや光ディスク等の着脱可能な記憶媒体が、ディスクドライブに挿入される。シリアルポートインタフェース１０５０は、図８に例示するように、例えばマウス１０５１、キーボード１０５２に接続される。ビデオアダプタ１０６０は、図８に例示するように、例えばディスプレイ１０６１に接続される。
【００６６】
ここで、図８に例示するように、ハードディスクドライブ１０３１は、例えば、ＯＳ１０９１、アプリケーションプログラム１０９２、プログラムモジュール１０９３、プログラムデータ１０９４を記憶する。すなわち、上記の剪定サポートプログラムは、コンピュータ１０００によって実行される指令が記述されたプログラムモジュールとして、例えばハードディスクドライブ１０３１に記憶される。
【００６７】
また、上記実施形態で説明した各種データは、プログラムデータとして、例えばメモリ１０１０やハードディスクドライブ１０３１に記憶される。そして、ＣＰＵ１０２０が、メモリ１０１０やハードディスクドライブ１０３１に記憶されたプログラムモジュール１０９３やプログラムデータ１０９４を必要に応じてＲＡＭ１０１２に読み出し、各種手順を実行する。
【００６８】
なお、剪定サポートプログラムに係るプログラムモジュール１０９３やプログラムデータ１０９４は、ハードディスクドライブ１０３１に記憶される場合に限られず、例えば着脱可能な記憶媒体に記憶され、ディスクドライブ等を介してＣＰＵ１０２０によって読み出されてもよい。あるいは、剪定サポートプログラムに係るプログラムモジュール１０９３やプログラムデータ１０９４は、ネットワーク（ＬＡＮ（Local  Area  Network）、ＷＡＮ（Wide  Area  Network）等）を介して接続された他のコンピュータに記憶され、ネットワークインタフェース１０７０を介してＣＰＵ１０２０によって読み出されてもよい。
【符号の説明】
【００６９】
１０  情報処理装置
１１  入力部
１２  出力部
１３  通信制御部
１４  撮像部
１５  制御部
１５ａ  取得部
１５ｂ  受付部
１５ｃ  作成部
１５ｄ  特定部
１５ｅ  比較部
１５ｆ  送信部
１６  記憶部
１６ａ  画像記憶部
１６ｂ  剪定デザイン画像記憶部
【図１】
2014135944.tif 000003
【図２】
2014135944.tif 000004
【図３】
2014135944.tif 000005
【図４】
2014135944.tif 000006
【図５】
2014135944.tif 000007
【図６】
2014135944.tif 000008
【図７】
2014135944.tif 000009
【図８】
2014135944.tif 000010